(57)【要約】  【課題】  本発明は、送風量を充分に確保するとともに、脱臭効率の高い冷蔵庫を提供することを目的とする。  【解決手段】  冷却器５の側方に設け冷気を冷蔵室３に送風する送風ダクト７と、この送風ダクト７と連通し、冷蔵室３の側方から中央に向けて延在した横部１０ａと中央から下方に向けて延在した下部１０ｂとでＬ字状に形成した連通ダクト１０と、この連通ダクト１０の下方と連通し、送風された冷気を冷蔵室３内に供給する冷蔵室ダクト１２と、冷蔵室３内の悪臭を脱臭し連通ダクトの下部１０ｂ内に設けた脱臭装置３０と、連通ダクトの横部１０ａから他方の側方に向けて延在し、冷蔵室ダクト１２または連通ダクトの下部１０ｂと脱臭装置３０の下流側で合流するバイパスダクト１１とを備えた構成。  【選択図】  図１
2005106298.tif 000002
【特許請求の範囲】
【請求項１】
冷凍室の下方に冷蔵室を配設した冷蔵庫本体と、前記冷凍室と冷蔵室を
冷却し冷凍室の背面に設けた冷却器と、この冷却器の側方に設け冷却器により生成された
冷気を冷蔵室に送風する送風ダクトと、この送風ダクトと連通し、冷蔵室の側方から中央
に向けて延在した横部と中央から下方に向けて延在した下部とでＬ字状に形成した連通ダ
クトと、この連通ダクトの下方と連通し、送風された冷気を冷蔵室内に供給する冷蔵室ダ
クトと、前記冷蔵室内の悪臭を脱臭し前記連通ダクトの下部内に設けた脱臭装置と、前記
連通ダクトの横部から他方の側方に向けて延在し、前記冷蔵室ダクトまたは連通ダクトの
下部と脱臭装置の下流側で合流するバイパスダクトとを備えたことを特徴とする冷蔵庫。
【発明の詳細な説明】
【技術分野】
【０００１】
本発明は、冷蔵室内の悪臭を脱臭する脱臭装置を備え、単一の冷却器により庫内を冷却
する冷蔵庫に関する。
【背景技術】
【０００２】
従来より、脱臭装置を冷蔵室内に配設して庫内の悪臭を脱臭する冷蔵庫が考えられてい
る。図５，６は、その一例として特許文献１に開示されている冷蔵庫を示すものであるが
、冷蔵庫１００には、上部に冷凍室１０１、下部に冷蔵室１０２を設け、冷凍室１０１の
背面には冷却器１１０を取付けている。この冷却器１１０により冷却された冷気は、ファ
ン１０４の回転により背部に設けた連通ダクト１０３を介して冷蔵室ダクト１０５に送風
され、このダクト１０５の表面に複数個設けた吹出口１０６ａ，１０６ｂ，１０６ｃより
冷蔵室１０２内に吹出されて室内が冷却されるようになっている。
【０００３】
冷蔵室１０２ダクト内の吹出口１０６ｂ，１０６ｃ間には、脱臭装置１０９を設けてい
る。この脱臭装置１０９は、オゾン発生装置１０７の上下にオゾン分解触媒１０８を取付
けて構成されており、オゾン発生装置１０７により発生したオゾンがダクト１０２内の悪
臭成分と反応して分解し、未反応オゾンは下部に設けられたオゾン分解触媒１０８によっ
て分解され、オゾンが冷蔵室内に流出することを防止している。
【０００４】
このような冷蔵庫によれば、脱臭装置１０９によって脱臭される空気は、ダクト１０５
内の一部だけであるが、ファン１０４の回転によって庫内空気は循環されているため、順
次脱臭されるようになっている。
【０００５】
また、図７に示す冷蔵庫は、図５，６の冷蔵庫の変形例であるが、冷蔵室ダクト１０５
に送風された冷気は、脱臭装置１０９を介して直接冷蔵室１０２内に吹出されるようにな
っている。
【特許文献１】特開平２−８６７９号公報
【発明の開示】
【発明が解決しようとする課題】
【０００６】
しかしながら、図５，６に示す冷蔵庫の構成では、冷蔵室ダクト１０５に送風された悪
臭成分を含む冷気の一部は脱臭装置１０９によって脱臭されるが、その他の冷気は、脱臭
される前に吹出口１０６ａ，１０６ｂから冷蔵室１０２に吹出されることになる。この場
合、脱臭されていない冷気が室内に吹出されても、ファン１０４の回転によって庫内空気
は循環されているため、除々に脱臭装置１０９によって脱臭されていくが、脱臭装置１０
９によって脱臭される冷気は僅かで庫内全体の空気が脱臭されるまでに長時間を要してし
まい、効率よく脱臭できないものであった。
【０００７】
また、図７に示す冷蔵庫の構成では、冷蔵室ダクト１０５に吹出された冷気はすべて脱
臭装置１０９を介して冷蔵室１０２に吹出されるため、効率よく脱臭することができるが
、一般的にダクト内に設けられる脱臭装置１０９は設置スペースの関係上、小型化にしな
ければならず、これに応じてダクトの開口寸法も縮小化する必要がある。この結果、冷蔵
室１０２への送風量が減少し、室内を適温に冷却することができないという不具合が生ず
るものであった。
【０００８】
本発明はこの点に着目してなされたもので、送風量を充分に確保するとともに、脱臭効
率の高い冷蔵庫を提供することにある。
【課題を解決するための手段】
【０００９】
上記課題を解決するために、本発明による冷蔵庫は、冷凍室の下方に冷蔵室を配設した
冷蔵庫本体と、前記冷凍室と冷蔵室を冷却し冷凍室の背面に設けた冷却器と、この冷却器
の側方に設け冷却器により生成された冷気を冷蔵室に送風する送風ダクトと、この送風ダ
クトと連通し、冷蔵室の側方から中央に向けて延在した横部と中央から下方に向けて延在
した下部とでＬ字状に形成した連通ダクトと、この連通ダクトの下方と連通し、送風され
た冷気を冷蔵室内に供給する冷蔵室ダクトと、前記冷蔵室内の悪臭を脱臭し前記連通ダク
トの下部内に設けた脱臭装置と、前記連通ダクトの横部から他方の側方に向けて延在し、
前記冷蔵室ダクトまたは連通ダクトの下部と脱臭装置の下流側で合流するバイパスダクト
とを備えたことを特徴とする。
【発明の効果】
【００１０】
上記発明によれば、送風量を充分に確保するとともに、脱臭効率の高い冷蔵庫を提供す
ることができる。
【発明を実施するための最良の形態】
【００１１】
以下、図面に基づき本発明の１実施例について説明する。本発明に係る冷蔵庫の正面図
である図３に示すように、断熱箱体で形成された冷蔵庫本体１は、その内部を冷凍空間と
して最上部に冷凍室２、その下方に冷凍空間として冷蔵室３を独立して配置し、各貯蔵室
の前面開口には各々専用扉２ａ，３ａを開閉自在に設けている。
【００１２】
図１は、扉２ａ，３ａを省略した図３の冷蔵庫を示すものであり、図２は、図１の冷蔵
庫を示す縦断面図である。
【００１３】
冷凍室２と冷蔵室３は仕切壁１６によって区画されており、冷凍室２の背面には、冷却
器室６を配設している。冷却器室６下部には、庫内を冷却する冷却器５を配設しており、
上部には冷却器５より熱交換された冷気を冷凍室２および冷蔵室３に送風するファン４を
取付けている。
【００１４】
冷凍室２と冷却器室６とを区画する背面壁１８には、上部に吹出口１９、下部に戻口２
０を設けており、吹出口１９から直接冷気が冷凍室２に吹出されて室内を冷却し、冷却し
終えた空気は戻口２０より冷却器室６に戻されて再び熱交換されるようになっている。
【００１５】
冷却器５の側方、ここでは右側に冷却器室６の冷気を冷蔵室３に送風する送風ダクト７
を上下方向に設けている。この送風ダクト７の下部には、送風量を調節するダンパ８を設
けているとともに、連通ダクト１０と連結している。
【００１６】
連通ダクト１０は、右側の側方から中央に向けて横方向に延在した横部１０ａと、中央
部から下方に向けて延在した下部１０ａをＬ字状に屈曲させたダクトである。
【００１７】
連通ダクト１０の横部１０ａの左奥部は、バイパスダクト１１と連通している。このバ
イパスダクト１１は、左側に向けて延在し略コ字状に屈曲し、連通ダクト１０の下部１０
ｂと接続させている。
【００１８】
連通ダクト７の下部には、中央部から左右両側に枝分かれした冷蔵室ダクト１２を設け
ており、その表面には、ファン４より送風された冷気を冷蔵室３内に吹出す吹出口１３を
複数個設けている。なお、本実施例では、連通ダクト１０とバイパスダクト１１とは一体
に成形しており、バイパスダクト１１は冷蔵室ダクト１２と接続させてもよい。
【００１９】
図４は、連通ダクト１０およびバイパスダクト１１を示す拡大横断面図であるが、連通
ダクト１０の下部１０ｂには、脱臭装置３０を埋設している。この脱臭装置３０は、上下
面が通風のために開口したユニットケース３１内に、電極３２、高電圧発生装置３５、オ
ゾン分解触媒３３を備えて構成されている。
【００２０】
具体的には、高電圧発生装置３５から網状の一対の平板電極３２に高電圧を給電するこ
とによって、電極面にコロナ放電が生じオゾンが発生する。このオゾンは、悪臭成分であ
るメチルメルカプタンやトリメチルアミンと反応して、かかる悪臭成分を分解するため、
室内が脱臭される。
【００２１】
また、未反応のオゾンが庫内に送風されると、オゾン臭が室内に発生するなどの不具合
が発生するため、オゾン分解触媒３３を電極３２の下方に設けることにより、未反応のオ
ゾンが室内に流出することを防止している。
【００２２】
なお、脱臭装置はこれに限られず、庫内空気を脱臭できるものであれば種々の変更が可
能である。
【００２３】
次に、本発明の作用について説明する。ファン４の回転により送風された冷気は冷凍室
２に吹出されるとともに、送風ダクト７に送風される。送風ダクト７に吹出された冷気は
、ダンパ８を介して、連通ダクト１０およびバイパスダクト１１を流通した後に、冷蔵室
ダクト１２から冷蔵室３に吹出され、冷蔵室３を冷却するようになっている。冷却し終え
た空気は、仕切壁１６に設けたリターンダクト１７より冷却器室６に戻って、再び熱交換
されるようになっている。
【００２４】
この場合、悪臭成分を含んだ冷気は、連通ダクト１０を流通する際に脱臭装置３０によ
って脱臭され冷蔵室３に吹出される。また、脱臭装置３０を設けたダクトの内径が小さく
冷蔵室３への送風量が確保できない場合であっても、連通ダクト１０の他にバイパスダク
ト１１を設けているため、送風量を充分に確保することができる。
【００２５】
また、連通ダクト１０を流通する冷気の一部は脱臭装置３０を通らずにバイパスダクト
１１を流通して庫内に吐出するが、一般的な悪臭成分であるメチルメルカプタンやトリメ
チルアミンなどは空気よりも比重が重く、ファン４と連通ダクト１０は離間しておりダク
ト内を流れる冷気はゆっくりと流通するため、連通ダクトの横部１０ａの流通中に、悪臭
成分は下方に集中していくことになる。このため、悪臭成分を多く含んだ冷気は連通ダク
トの下部１０ｂに降下して脱臭装置３０によって脱臭されるため、迅速かつ効果的に庫内
空気の脱臭を行うことができるとともに、悪臭成分をあまり含まない冷気は、奥側のバイ
パスダクト１１に流通して連通ダクト１０を流通した冷気とともに冷蔵室３内に吹出され
るため、必要な冷気量を充分に確保することができるのである。
【００２６】
この際、図４に示すように、連通ダクト１０の下部１０ｂとバイパスダクト１１とを接
続させた底面から上方に向けて延在した遮蔽板９を設けることにより、さらに悪臭成分を
多く含んだ冷気と、そうでない冷気とを確実に分離することができ、悪臭成分を多く含ん
だ冷気を連通ダクトの下部１０ｂに降下させて脱臭装置３０により脱臭させることができ
る。
【００２７】
上述したように、本発明によれば、冷蔵室３の側方から中央に向けて延在した横部１０
ａと中央から下方に向けて延在した下部１０ｂとでＬ字状に形成した連通ダクト１０の下
部１０ｂに脱臭装置３０を設けたことにより、冷蔵室３に吹出す冷気中の悪臭成分を効果
的に分離させて脱臭させることができ、庫内空気を迅速かつ効率よく脱臭させることがで
きる。また、連通ダクト１０の横部１０ａから他方の側方に向けて延在させて脱臭装置３
０の下流側で合流するバイパスダクト１１を設けたことにより、悪臭成分の少ない冷気を
流通させて、脱臭装置３０により脱臭された冷気とともに室内に吹出すことができるため
、冷風量を充分に確保することができる。
【産業上の利用可能性】
【００２８】
本発明は、送風量を充分に確保するとともに、脱臭効率の高い冷蔵庫を提供することが
でき、脱臭装置を備えた様々な冷蔵庫に適応可能である。
【図面の簡単な説明】
【００２９】
【図１】扉を省略した本発明の冷蔵庫を示す正面図である。
【図２】図１の冷蔵庫を示す縦断面図である。
【図３】本発明の冷蔵庫を示す正面図である。
【図４】本発明の連通ダクトとバイパスダクトを示す横断面図である。
【図５】従来の冷蔵庫を示す縦断面図である。
【図６】従来の冷蔵庫を示す正面図である。
【図７】従来の冷蔵庫を示す正面図である。
【符号の説明】
【００３０】
１…冷蔵庫本体            ２…冷凍室              ３…冷蔵室
４…ファン                ５…冷却器              ６…冷却器室
７…送風ダクト            ８…ダンパ              ９…遮蔽板
１０…連通ダクト          １０ａ…横部            １０ｂ…下部
１１…バイパスダクト      １２…冷蔵室ダクト      １３…吹出口
３０…脱臭装置
【図１】
2005106298.tif 000003
【図２】
2005106298.tif 000004
【図３】
2005106298.tif 000005
【図４】
2005106298.tif 000006
【図５】
2005106298.tif 000007
【図６】
2005106298.tif 000008
【図７】
2005106298.tif 000009